(57)【特許請求の範囲】
【請求項１】
第１の使用縁側及び第２の使用縁側に同時に着座して対面使用可能な天板と、前記両使用縁の間で下肢空間を奥行き方向に仕切る幕板とを備えてなるものにおいて、
前記幕板を、上幕板部材と下幕板部材に分割して、相対的に上幕板部材を第１の使用縁よりに配置し、下幕板部材を第２の使用縁よりに配置するとともに、上幕板部材又は下幕板部材の何れか一方を左右の支持体の間に剛接し、他方を左右の支持体の間に高さ調節可能に取り付けたことを特徴とする幕板を備えた天板付家具。
【請求項２】
天板に近い下肢空間は上幕板部材によって第１の使用縁側よりも第２の使用縁側が広くなるように仕切られ、また、床に近い下肢空間は下幕板部材によって第２の使用縁側よりも第１の使用縁側が広くなるように仕切られている請求項１記載の幕板を備えた天板付家具。
【請求項３】
上幕板部材の下端部と下幕板部材の上端部とは、高さ位置が一致またはオーバーラップしている請求項１又は２記載の幕板を備えた天板付家具。
【請求項４】
上幕板部材と下幕板部材を水平方向に離間させて、両幕板部材間に、第１の使用縁側の下肢空間と第２の使用縁側の下肢空間とを連通させる隙間を形成している請求項３記載の幕板を備えた天板付家具。
【請求項５】
第２の使用縁側に拡張された天板近くの下肢空間を利用して、配線その他の部材を収容するための収容部材を配置している請求項１〜４何れかに記載の幕板を備えた天板付家具。
【発明の詳細な説明】
【技術分野】
【０００１】
本発明は、役所等の公共機関において特に好適に利用可能な、幕板を備えた天板付家具に関するものである。
【背景技術】
【０００２】
この種の天板付家具として、接客等を行うために天板の下肢空間を幕板で仕切り、対向する一対の使用縁にそれぞれ接客要員と来訪者が向き合って着座できるようにしたものが広く知られている。
【０００３】
この種の天板付家具は、何れの使用縁に着座しても使い勝手が対等となるように、天板奥行き方向の中央部の下面に幕板を配置した対称的な構造をなしているのが一般的であり、幕板は左右の支持体に剛接されて当該支持体とともに脚構造体を構成し、天板下から床まで一枚もので構成されているのが通例である。
【０００４】
これに対して、幕板を工夫し、他の机と組み合わせて使用する際にテーブルを多目的に利用できるようにしたものとして、例えば特許文献１に示すように、左右の支持体間の前後両端部及び中央部の何れか一箇所に幕板を位置変更可能に取り付けるようにしたもの等も提案されている。
【先行技術文献】
【特許文献】
【０００５】
【特許文献１】特開２０００−１３９５７７号公報
【発明の概要】
【発明が解決しようとする課題】
【０００６】
ところで、役所などの公共機関で設置される受付用のカウンター等には様々な来訪者が訪れる。特に、近年の高齢化社会の到来に伴って、公共の場では福祉機能の充実が求められており、体の機能の衰えた者や車椅子を使う者などにも充分な配慮が必要である。そうしたことを考えると、受付用のカウンター等にアクセスする際には足の不自由な来訪者や車椅子利用者の便を考慮して天板の下に十分な下肢空間を確保しておくことは重要であり、上記特許文献１の構造を利用して幕板を接客要員側の使用縁に近づけて取り付けることも一つの対応として考えられる。
【０００７】
しかしながら、このようにすると、来訪者側の下肢空間のうち幕板に近い上方空間はデッドスペースになり、接客要員側の下肢空間は一方的に狭められるだけで、カウンターに必要な配線類の格納や接客側で必要とされる書類その他の物品を収納するカウンター本来の機能が損なわれるおそれがある。
【０００８】
これに対して、来訪者側の下肢空間を十分に広くとり、なお且つカウンター本来の機能や接客要員側の下肢空間も充分に確保できるように、天板に奥行き寸法の大きい大型のものを採用することも考えられるが、このようにすると接客要員と来訪者の間に必要以上の距離が開いて接客業務に支障を来たすほか、カウンターが必要以上に大型となってコスト増、スペースファクタの低下を招くこととなる。
【０００９】
本発明は、このような課題に着目し、カウンターの大型化を招くことなく、幕板構造を工夫してこれらの課題を同時に解決し得る新たな機能の天板付家具を提供することを目的としている。
【課題を解決するための手段】
【００１０】
本発明は、かかる目的を達成するために、次のような手段を講じたものである。
【００１１】
すなわち、本発明に係る幕板を備えた天板付家具は、第１の使用縁側及び第２の使用縁側に同時に着座して対面使用可能な天板と、前記両使用縁の間で下肢空間を奥行き方向に仕切る幕板とを備えてなるものにおいて、前記幕板を、上幕板部材と下幕板部材に分割して、相対的に上幕板部材を第１の使用縁よりに配置し、下幕板部材を第２の使用縁よりに配置するとともに、上幕板部材又は下幕板部材の何れか一方を左右の支持体の間に剛接し、他方を左右の支持体の間に高さ調節可能に取り付けたことを特徴とする。
【００１２】
このように構成すると、第１の使用縁側においては上から下に向かって下肢空間が広がり、第２の使用縁側においては下から上に向かって下肢空間が広がることになる。このため、床近くの下肢空間に奥行きが要求される着座サイドを第１の使用縁側に設定し、天板近くの下肢空間に奥行きが要求される着座サイドを第２の使用縁側に設定すれば、天板の大型化を招くことなく、両着座サイドの使い勝手を有効に向上させることが可能となる。
【００１３】
さらに、上幕板部材又は下幕板部材の何れか一方を左右の支持体の間に剛接し、他方を左右の支持体の間に高さ調節可能に取り付けていることから、目的・用途に応じた微調整が可能となる。
【００１４】
両着座サイドにおける下肢空間の拡張機能をより明確にするためには、天板に近い下肢空間は上幕板部材によって第１の使用縁側よりも第２の使用縁側が広くなるように仕切られ、また、床に近い下肢空間は下幕板部材によって第２の使用縁側よりも第１の使用縁側が広くなるように仕切られていることが望ましい。
【００１５】
幕板を上下に分割しても幕板の機能低下を防止するためには、上幕板部材の下端部と下幕板部材の上端部とが、高さ位置が一致またはオーバーラップしていることが好ましい。
【００１６】
幕板を上下に分割して奥行き方向に位置をずらしたことを利用し、空気の循環等に資するためには、上幕板部材と下幕板部材を水平方向に離間させて、両幕板部材間に、第１の使用縁側の下肢空間と第２の使用縁側の下肢空間とを連通させる隙間を形成していることが好ましい。
【００１７】
第２の使用縁側における機能をより充実させるためには、第２の使用縁側に拡張された天板近くの下肢空間を利用して、配線その他の部材を収容するための収容部材を配置していることが望ましい。
【発明の効果】
【００１８】
本発明は、以上説明した構成であるから、例えば接客カウンター等として使用した際に、来訪者側の下肢空間のうち幕板に近い上方空間の一部は接客要員側の収納空間等としての利用が可能になり、接客要員側の下肢空間のうち床に近い下方空間の一部は来訪者側の足の蹴り込み空間等としての利用が可能になるため、天板を大型化することなく、幕板の構造を工夫するだけで、双方の着座サイドの空間調整を通じてその使い勝手を同時に高めた、新規有用な天板付家具として利用に供することができる。
【図面の簡単な説明】
【００１９】
【図１】本発明の一実施形態に係るカウンターの斜視図。
【図２】同カウンターの側面図。
【図３】同カウンターの分解斜視図。
【図４】同カウンターの組立構造を示す要部拡大斜視図。
【発明を実施するための形態】
【００２０】
以下、本発明の一実施形態を、図面を参照して説明する。
【００２１】
この実施形態の天板付家具であるカウンターＴは、図１に示すように、接客等を行うために天板１の下肢空間Ｓを幕板４によって奥行き方向に仕切り、図中矢印Ａ、Ｂで示す方向から来訪者と接客要員が対面して着座可能としたものである。
【００２２】
具体的に説明すると、天板１は、図３に示すように左右の支持体３、３にブラケット１０を介して取り付けられ、左右の支持体３，３の間には、幕板４を構成する上幕板部材４１と下幕板部材４２が架設されている。
【００２３】
支持体３は、図１〜図３に示すように、支柱３１と、この支柱３１の上半部に取り付けられる上幕板取付ブラケット３２と、支柱３１の下半部に取り付けられる一対の下幕板取付ブラケット３３とを具備している。
【００２４】
上幕板取付ブラケット３２は、図４等に示すように、左右の支持体３の対面方向を厚み方向とする面板３２ａの一端側に形成した折り曲げ片３２ｂを前記支柱３１の奥行き方向の一方に存する立面３１ａに取り付けられるもので、他端側に形成した折り曲げ片３２ｃを上幕板取付部として設定されている。前記面板３２ａには一部に切欠窓３２ｄが形成してある。
【００２５】
下幕板取付ブラケット３３は、奥行き方向を厚み方向とする面板３３ａの一端側に形成した折り曲げ片３３ｂを左右の支柱３１の対面方向に存する立面３１ｂに取り付けられるもので、前記面板３３ａを下幕板取付部として設定されている。この下幕板取付ブラケット３３には、上下に延びる長孔状の取付孔３３ｃが奥行き方向に貫通させてある。
【００２６】
上幕板部材４１は、前記上幕板取付ブラケット３２の幕板取付部３２ｃよりも若干長い上下寸法ｈ１と、左右の幕板取付部３２ｃ、３２ｃ間の離間距離に略対応する幅寸法ｗ１とを有するもので、この実施形態では木製の板材が使用してある。そして、左右の縁部近傍の立面４１ａを対応する上幕板取付ブラケット３２の上幕板取付部３２ｃにボルトｖ１を用いて剛接してある。
【００２７】
下幕板部材４２は、前記下幕板取付ブラケット３３の幕板取付部３３ａの離間距離よりも若干長い上下寸法ｈ２と、前記上幕板部材４１の幅寸法ｗ１に略対応する幅寸法ｗ２とを有するもので、この実施形態ではスチール素材を使用して、面板４２ａの上下左右にそれぞれ上枠４２ｂ、下枠４２ｃ及び側枠４２ｄを形成し、中央に横桟４２ｅを設けている。そして、前記下幕板取付ブラケット３３ａの取付孔３３ｃに貫通させたボルトｖ２を下幕板部材４２の側枠４２ｄにねじ込み、ボルトｖ２の頭部と側枠４２ｄとの間に幕板取付部３３ａを挟み込んだ状態で、下幕板部材４２を左右の支柱３１，３１の間に架設している。面板４２ａには多数のスリット孔が打ち抜いて形成してある。
【００２８】
すなわち、幕板部材４１，４２は何れも、図１及び図２に示す一方の使用縁１ａ側から幕板取付部３２ｃ、３３ａに突き当てられ、他方の使用縁１ｂ側からボルト締めされるものである。
【００２９】
しかして、この状態においては、図２に示すように、下幕板取付部３３ａと上幕板取付部３２ｃとは奥行き方向に位置がずれた状態となって、相対的に上幕板部材４１は天板１の第１の使用縁１ａよりに、下幕板部材４２は天板１の第２の使用縁１ｂよりに配置されることになる。すなわち、第１の使用縁１ａ側においては上から下に向かって広がる下肢空間Ｓ１（Ｓ１１，Ｓ１２）が形成され、第２の使用縁１ｂ側においては下から上に向かって広がる下肢空間Ｓ２（Ｓ２１，Ｓ２２）が形成されることになる。
【００３０】
その際、第１の使用縁１ａ側の下肢空間Ｓ１１、Ｓ１２と第２の使用縁１ｂ側の下肢空間Ｓ２１，Ｓ２２とで何れが広く、何れが狭くなるかは、支柱３１に対する天板１の取付位置や、幕板取付部３２ｃ、３３ａ間の偏位量等によって種々に設定可能であるが、本実施形態では、上幕板部材４１によって仕切られる天板１に近い第１の使用縁１ａ側の下肢空間Ｓ１１よりも第２の使用縁１ｂ側の下肢空間Ｓ２１の方が広く、また、下幕板部材４２によって仕切られる床Ｆに近い第１の使用縁１ａ側の下肢空間Ｓ１２の方が第２の使用縁側１ｂの下肢空間Ｓ２２よりも広くなるように設定している。さらに、天板１の奥行き方向の中央位置Ｃを基準にした場合、前記中央位置Ｃに対して上幕板部材４１は第１の使用縁１ａよりに配置され、下幕板部材４２は第２の使用縁１ｂよりに配置されており、天板１の奥行き方向中央位置Ｃに幕板部材が取り付けられる従来構造に比して、第１の使用縁１ａ側においては床Ｆに近い下肢空間Ｓ１２が拡張され、第２の使用縁１ｂ側においては天板１に近い下肢空間Ｓ２１が拡張されたものとなっている。上幕板部材４１と下幕板部材４２との間には、両幕板部材４１、４２の位置ずれに伴って水平方向の隙間ｄが形成されている。
【００３１】
また、上記取付構造によって下幕板部材４２は、ボルトｖ２が貫通孔３３ｃの間で遊動し得る範囲において取り付け高さが変更可能となる。本実施形態では、どの調節位置においても上幕板部材４１の下端部４１ｂの近傍と下幕板部材４２の上端部４２ｆの近傍との高さ位置が少なくとも一致するかまたはオーバーラップした関係にあるように設定している。
【００３２】
さらに、本実施形態は、天板１に近い第２の使用縁１ｂ側の下肢空間Ｓ２１のうち両幕板部材４１、４２の位置ずれによって拡張されている拡張領域部分Δ１を利用して、配線その他の部材を収容するための収容部材５を配置している。この収容部材５は、図３等に示すように、底壁５１の前縁にこぼれ止めの起立壁５２を、また底壁５１の後縁に立壁５３を介して頂壁５４を各々一連に折り曲げて形成したスチール製のもので、図２に示すように頂壁５４を天板１の下面１ｃにねじ止めし、順次、数珠繋ぎに下段側の収容部材５の頂壁５４を上段側の収容部材５の底壁５１に連結し得るようにしており、内部空間を第２の使用縁１ｂ側に開放させている。
【００３３】
逆に、床Ｆに近い第１の使用縁１ａ側の下肢空間Ｓ１２のうち両幕板部材４１，４２の位置ずれによって拡張されている拡張領域部分Δ２は、第１の使用縁１ａ側に開放されて足の蹴り込み空間として設定されている。
【００３４】
なお、この実施形態の天板１は、第１の使用縁１ａに樹脂製のエッジ部材１１が取り付けられており、使用縁近傍の上面１ｄには溝１２が、また下面１ｃには突条１３が、それぞれ天板幅方向に延びていて、車椅子利用者が天板１にアクセスする際に指を掛けて引き寄せる等の利用に供することができるようにしている。
【００３５】
このようにしてなる図１に示すカウンターＴは、必要に応じて幅方向に複数台連接して据え付けられ、その際に前記上幕板取付ブラケット３２の切欠窓３２ｄは横配線の挿通口等として利用される。また、左右の支持体３，３には、必要に応じて図１に示すような全幅の端部パネル６１や半幅の端部パネル６２が前述した天板取付用のブラケット１０等を介して取り付けられる。これらは接客スペースを幅方向に区画するものであり、これらのパネル６１、６２を嵩高くすればサイドパネル兼用としても利用できるものである。
【００３６】
以上のように、本実施形態のカウンターＴは、第１の使用縁１ａ側及び第２の使用縁１ｂ側に同時に着座して対面使用可能な天板１と、前記両使用縁１ａ、１ｂの間で下肢空間Ｓを奥行き方向に仕切る幕板４とを備え、前記幕板４を、上幕板部材４１と下幕板部材４２に分割して、相対的に上幕板部材４１を第１の使用縁１ａよりに配置し、下幕板部材４２を第２の使用縁１ｂよりに配置したものである。
【００３７】
このように構成することで、第１の使用縁１ａ側においては上から下に向かって下肢空間Ｓが広がり、第２の使用縁１ｂ側においては下から上に向かって下肢空間Ｓが広がることになる。このため、床Ｆ近くの下肢空間に奥行きが要求される着座サイドを当該下肢空間Ｓ１２の広い第１の使用縁１ａ側に設定し、天板１近くの下肢空間に奥行きが要求される着座サイドを当該下肢空間Ｓ２１の広い第２の使用縁１ｂ側に設定すれば、天板１の大型化を招くことなく、両着座サイドの使い勝手を有効に向上させることが可能となる。
【００３８】
特に、天板１に近い下肢空間Ｓ１１、Ｓ２１に関しては、上幕板部材４１によって第１の使用縁１ａ側の下肢空間Ｓ１１よりも第２の使用縁１ｂ側の下肢空間Ｓ２１が広くなるように仕切り、また、床Ｆに近い下肢空間Ｓ１２、Ｓ２２に関しては、下幕板部材４２によって第２の使用縁１ｂ側の下肢空間Ｓ２２よりも第１の使用縁１ａ側の下肢空間Ｓ１２が広くなるように仕切っているので、天板１の奥行き方向中央部Ｃに幕板部材が取り付けられる従来構造に比して、第１の使用縁１ａ側において床Ｆ近くに拡張された拡張領域部分Δ２を足の蹴り込み空間としてして利用しながら車椅子利用者等にとってアクセスし易い広い下肢空間Ｓ１１、Ｓ１２を充分に確保することができると同時に、おいては天板１近くに拡張された拡張領域部分Δ１はデッドスペースとすることなく第２の使用縁１ｂ側に開放して配線や各種機器類、或いは各種書類の収納等のために利用することができる。このため、公共機関における接客用のカウンター等として特に有効に活用することが可能となる。
【００３９】
また、この実施形態は、上幕板部材４１を左右の支持体３，３の間に剛接し、下幕板部材４２を左右の支持体３，３の間に高さ調節可能に取り付けている。すなわち、幕板４を上下分割して奥行き方向に位置をずらしたことを利用し、さらに上幕板部材４１と左右の支持体３とで天板１を的確に支持する構造体を構成することによって、下幕板部材４２への強度依存を無くして、当該下幕板部材４２に可動性を付与しているので、目的・用途に応じた高さ位置にボルトｖ２を用いて簡単に設定することが可能になる。
【００４０】
さらに、上幕板部材４１の下端部４１ｂと下幕板部材４２の上端部４２ｆとは、高さ位置を一致またはオーバーラップさせているので、少なくとも水平もしくはそれに近い角度から見れば上幕板部材４１の下端部４１ｂと下幕板部材４２の上端部４２ｆの間で幕板４の見掛け上の連続性が確保されるので、幕板４の本来の遮蔽機能を有効に担保することができる。
【００４１】
また、幕板４を上下に分割して奥行き方向に位置をずらした構成を利用して、上幕板部材４１と下幕板部材４２を水平方向に離間させて、両幕板部材４１、４２間に、第１の使用縁１ａ側の下肢空間Ｓ１と第２の使用縁１ｂ側の下肢空間Ｓ２とを連通させる隙間ｄを形成し、両下肢空間Ｓ１，Ｓ２の間で通気性をもたせているので、例えば多数のカウンターを横連結しても、第１の使用縁１ａ側と第２の使用縁１ｂ側とで前記隙間ｄを介して適切な空気の流通、循環が確保され、空調の便にも資するものとなる。また、この場合にも、第１の使用縁１ａ側から見た場合、少なくともほぼ水平ないし斜め上方からの目線に対しては上幕板部材４１と下幕板部材４２の見掛け上の連続性は担保されるため、幕板４の遮蔽機能は確実に担保され、相手方の下肢空間が露呈して接客カウンターとしての機能を損なうこともない。
【００４２】
さらに、第２の使用縁１ｂ側に拡張された天板１近くの下肢空間Ｓ２１側に生じる拡張領域部分Δ１をデッドスペースとすることなく、当該拡張領域部分Δ１を利用して収容部材５を配置しているので、その収容空間を利用して、カウンターＴに必要な配線類の格納や接客側で必要とされる書類その他の物品を収納する場所としての有効利用が可能となる。
【００４３】
なお、各部の具体的な構成は、上述した実施形態のみに限定されるものではない。
【００４４】
例えば、剛性をより高めるために、上幕板部材の上端部で天板の下面を支持するように構成してもよい。また、下幕板部材を左右の支持体間に剛接すれば、上幕板部材を上下に可動とすることもできる。さらに、収容部材は拡張領域部分のみに配置する態様に限らず、第２の使用縁近傍から拡張領域部分に亘って収容部材である引き出し等を取り付けることも可能である。
【００４５】
その他の構成も、本発明の趣旨を逸脱しない範囲で種々変形が可能である。
【符号の説明】
【００４６】
１…天板
１ａ…第１の使用縁
１ｂ…第２の使用縁
３…支持体
４…幕板
５…収容部材
４１…上幕板部材
４１ｂ…下端部
４２…下幕板部材
４２ｅ…上端部
ｄ…隙間
Ｓ…下肢空間
Ｓ１１…天板に近い第１の使用縁側の下肢空間
Ｓ１２…床に近い第１の使用縁側の下肢空間
Ｓ２１…天板に近い第２の使用縁側の下肢空間
Ｓ２２…床に近い第２の使用縁側の下肢空間
Δ１…拡張領域部分
【図１】
0005672438.tif 000002
【図２】
0005672438.tif 000003
【図３】
0005672438.tif 000004
【図４】
0005672438.tif 000005